(57)【特許請求の範囲】
【請求項１】
左右に立設する支柱に渡って支持される物品収納用の収納庫を備えた什器であって、
前記左右の支柱は、係止孔をそれぞれ備えており、前記左右の支柱の係止孔には、前後方向に延びる左右一対のブラケットの後端に設けられたフックがそれぞれ係止されており、前記収納庫を構成する左右の側板部には、前後方向に延び、前記一対のブラケットの上縁に上方から載置可能な載置部を有するリブがそれぞれ設けられ、
前記収納庫が前記リブを介して前記一対のブラケットに支持された状態において、前記一対のブラケットは前記側板部の外側に重なるようになっており、
前記収納庫には前記ブラケットと前記リブ及び前記側板部を覆うカバーが取り付けられていることを特徴とする什器。
【請求項２】
前記リブは、前記載置部から下方に折れ曲がる屈曲部を備えていることを特徴とする請求項１に記載の什器。
【請求項３】
前記一対のブラケットの上縁には、上方に開口する切欠部が設けられており、前記左右の側板部には、前記一対のブラケットに係止された際に前記切欠部内に係止される係止突起が設けられていることを特徴とする請求項１または２に記載の什器。
【請求項４】
前記一対のブラケットの上縁には、前記切欠部が前後方向に複数設けられていることを特徴とする請求項３に記載の什器。
【発明の詳細な説明】
【技術分野】
【０００１】
本発明は、左右に立設した支柱に渡って支持される収納庫を備えた什器に関する。
【背景技術】
【０００２】
ドラックストアやスーパーマーケット等の店舗に設置される作荷台や商品陳列棚等の什器として、床面から立設する左右の支柱にブラケットを取付け、そのブラケットにより、物品収納用のラック、キャビネット、ストッカー等の収納庫を支持したものがある。
【０００３】
収納庫を備えた什器の例として、特許文献１のような什器が開発されている。この什器は、パネルの前面側に左右に離間して設けられたフック孔（係止孔）にブラケットのフックを係止させることによりそれぞれブラケットを取付け、この左右一対のブラケットにおけるキャビネット取付部を、キャビネット（収納庫）の左右の側板（側板部）の後端に設けられた後スリット内に挿入して係止することにより、キャビネットを支持している。
【先行技術文献】
【特許文献】
【０００４】
【特許文献１】特許第４２５９８０１号公報（第７頁、第６図）
【発明の概要】
【発明が解決しようとする課題】
【０００５】
しかしながら、特許文献１のような什器にあっては、キャビネットの左右の側板の後端のみが左右一対のブラケットによって支持されている構造であることから、キャビネット自体の形状を保つために、キャビネットを構成する側板や底板を厚くして強度を持たせる必要があり、キャビネットの重量が重くなっていた。
【０００６】
本発明は、このような問題点に着目してなされたもので、収納庫の重量を軽くすることができる什器を提供することを目的とする。
【課題を解決するための手段】
【０００７】
前記課題を解決するために、本発明の什器は、
左右に立設する支柱に渡って支持される物品収納用の収納庫を備えた什器であって、
前記左右の支柱は、係止孔をそれぞれ備えており、前記左右の支柱の係止孔には、前後方向に延びる左右一対のブラケットの後端に設けられたフックがそれぞれ係止されており、前記収納庫を構成する左右の側板部には、前後方向に延び、前記一対のブラケットの上縁に上方から載置可能な載置部を有するリブがそれぞれ設けられ、
前記収納庫が前記リブを介して前記一対のブラケットに支持された状態において、前記一対のブラケットは前記側板部の外側に重なるようになっており、
前記収納庫には前記ブラケットと前記リブ及び前記側板部を覆うカバーが取り付けられていることを特徴としている。
この特徴によれば、前後方向に延びるブラケットにより収納庫を構成する左右の側板部の強度が補強されるため、側板部の厚みを薄くして収納庫の重量を軽くすることができる。
【０００９】
前記リブは、前記載置部から下方に折れ曲がる屈曲部を備えていることを特徴としている。
この特徴によれば、左右の載置部を一対のブラケットの上縁に載置した際に、各屈曲部が各ブラケットの外側に配置されるため、収納庫が左右に移動しても一対のブラケット上から落下することを防止できる。
【００１１】
前記一対のブラケットの上縁には、上方に開口する切欠部が設けられており、前記左右の側板部には、前記一対のブラケットに係止された際に前記切欠部内に係止される係止突起が設けられていることを特徴としている。
この特徴によれば、左右の側板部が一対のブラケットに係止された際に、係止突起が切欠部内に係止されるため、収納庫が前後に移動することを防止できる。
【００１２】
前記一対のブラケットの上縁には、前記切欠部が前後方向に複数設けられていることを特徴としている。
この特徴によれば、係止突起をいずれかの切欠部に選択的に係止させることにより、一対のブラケットに対して収納庫を前後方向に選択的に位置決めできる。
【図面の簡単な説明】
【００１３】
【図１】実施例における什器の構造を示す斜視図である。
【図２】什器の構造を示す分解斜視図である。
【図３】ブラケットにより収納庫を支持した状態を示す側面図である。
【図４】図３の状態を示す正面断面図である。
【図５】ブラケットに対して収納庫の前後位置を調整した状態を示す側面図である。
【図６】什器の別態様を示す分解斜視図である。
【発明を実施するための形態】
【００１４】
本発明に係る什器を実施するための形態を実施例に基づいて以下に説明する。
【実施例】
【００１５】
実施例に係る什器につき、図１から図６を参照して説明する。以下、図３の画面下側を什器の正面側（前方側）とし、什器の正面側から見て左右方向を什器の左右方向として説明する。
【００１６】
図１に示されるように、本実施例の什器１は、スーパーマーケット等の店舗で商品の代金精算後に、購入した商品を袋詰めする際に用いられる作荷台である。尚、什器１は、作荷台のみに限られず、例えば、工場や配送センター等で使用される作業台や倉庫等に使用される物品収容棚であってもよい。
【００１７】
図１及び図２に示されるように、この什器１は、左右に離間した中空筒状の支柱２，２と、支柱２，２の前面側に係止されるブラケット１０，１０と、該ブラケット１０，１０によって支持される物品収納用の収納庫３と、収納庫３の上部に配置される作業板４と、から主に構成されており、作業板４上で購入した商品の袋詰め作業を行うことができるとともに、収納庫３内には、梱包等に用いられる包装紙やテープを収納することができるようになっている。
【００１８】
支柱２，２の下端部には、前方側に延びる脚部５ａ，５ａ及び上方側に延びる図示しない挿入部を有する略Ｌ字形状のベース脚５，５が、前記各挿入部を支柱２，２の下端部に挿入嵌合することで組み付けられており、前方方向への転倒が防止されている。尚、このベース脚５は、Ｌ字形状に限られず、前後に延びる脚部及び上方側に延びる挿入部を有するＴ字形状に形成され前後方向の転倒が防止されていてもよい。
【００１９】
また、各支柱２の前面には、左右２列の係止孔２ａ，２ａ，…が上下に沿って列設されている。この支柱２，２は、左右方向に所定間隔離間して配置されており、支柱２，２は、その上端部及び下端部に上部横架材６及び下部横架材７が架設され、図示しない固定手段により支柱２，２と上部横架材６及び下部横架材７とが固定されて一体に連結され、強度が高められている。
【００２０】
図１ないし図４に示されるように、収納庫３を支持する左右一対のブラケット１０，１０は、剛性を有する鋼板等の板材により形成されており、前後方向に長くなっている。このブラケット１０，１０は、後端側の上下方向の幅が大きくなっており、その後端部には、支柱２，２の係止孔２ａ，２ａ，…に係止可能なフック１０ａ，１０ａ，…が上下方向にそれぞれ複数設けられている（図３参照）。したがって、ブラケット１０，１０は、複数のフック１０ａ，１０ａ，…とブラケット１０，１０の後端側の上下方向の幅の大きさとにより、支柱２，２に対して強固に取付けられるため、重い荷重にも耐え得る強度を有している。また、前後方向に延びるブラケット１０，１０の上縁の後端側には、上方に開口する切欠部１０ｂ，１０ｂ，…がそれぞれ複数設けられており、この切欠部１０ｂは、後述する係止突起部１５ｄが係止された際に、その係止突起部１５ｄに係止して上方への抜け止めとして機能する水平面１０ｃを備えている。
【００２１】
図１及び図２に示されるように、収納庫３は、前記作業板４と、水平方向に延びる底板部８と、底板部８の両側面に固定され上下方向に延びる左右の側板部９，９と、側板部９，９に渡ってその背面側に架設される背板部１４と、側板部９，９の前端上部を繋ぐように固定される横杆部材１１と、底板部８，側板部９，９、及び横杆部材１１で囲まれた前方側に設けられたスライド式の引き戸１２，１２と、から主に構成されている。尚、本実施例では、底板部８、側板部９，９、及び背板部１４が鋼板等の板材を折り曲げて形成しているが、これに限られず、それぞれ分割された各部材を組み立てることにより収納庫が構成されてもよい。
【００２２】
横杆部材１１の下面側と、底板部８における横杆部材１１と対向する位置の上面側と、には、図示しない左右方向に延びる前後２列のレールがそれぞれ設けられており、前記各レール内に引き戸１２，１２の上端及び下端がそれぞれ挿嵌されることで、前記各レールに沿って引き戸１２，１２がスライド可能となっている。尚、収納庫３は、引き戸１２，１２により開閉可能となっていることに限られず、例えば、ヒンジ等により開閉する扉を設けてもよい。更に尚、この収納庫は、箱状や上方が開口するような形状等であってもよく、要するに、少なくとも左右両側に設けられる側板部と、その側板部を繋ぐように左右に延びる物品載置用の棚板と、を有していればよい。
【００２３】
また、作業板４は、前後方向に延び、且つ側板部９，９の上端縁に上方から嵌合する正面視下向きコ字状の取付具１３，１３を介して収納庫３の上部に設置されている。取付具１３，１３は、剛性を有した鋼板等の板材により形成されており、この取付具１３，１３により側板部９，９の上端縁が補強されるため、作業板４を収納庫３の上部に安定して設置できる。また、この取付具１３，１３は、後端部に支柱２，２の係止孔２ａ，２ａ，…に挿通可能な凸片１３ａ，１３ａが設けられており、凸片１３ａ，１３ａが係止孔２ａ，２ａ，…に挿通されることで、側板部９，９の上端縁が左右方向に移動することを防止できる（図３参照）。
【００２４】
図３及び図４に示されるように、側板部９，９は、その外側面の上下中間部近傍に、前後方向に延びるリブ１５，１５がそれぞれ固着されている（片側のみ図示）。このリブ１５は、剛性を有した鋼板等の板材を折り曲げて略ハット状に形成されており、側板部９の外側に張り出す断面視コ字状の突出部１５ａと、突出部１５ａの上下両端から上下方向にそれぞれ折れ曲がり側板部９の外側面に溶接で固着される垂直片１５ｂ，１５ｂと、突出部１５ａにおける張り出した先端の前後方向の所定箇所（本実施例では前方側と後方側の２箇所）から下方側に折れ曲がる屈曲部１５ｃ，１５ｃと、下側の垂直片１５ｂの後端側の一部を外側に折り曲げて形成された係止突起部１５ｄと、を備えている。このリブ１５，１５が前後方向に延びて側板部９，９にそれぞれ固着されることにより、側板部９，９の左右方向の曲げ強度が補強されているため、側板部９，９を薄くしても形状を保つことができるようになっている。尚、リブ１５，１５は、側板部９，９に対してボルト・ナットやビスで固着されてもよい。
【００２５】
また、リブ１５，１５の突出部１５ａ，１５ａの各下面は、ブラケット１０，１０の上縁に載置される載置面１５ｅ，１５ｅ（載置部）となっている。このように、前後方向に延びるブラケット１０，１０の上縁に対して、前後方向に長い載置面１５ｅ，１５ｅが載置されることにより、ブラケット１０，１０の上縁と載置面１５ｅ，１５ｅとの接触面積が大きくなり、収納庫３を左右の支柱２，２に安定して支持できる。更に、側板部９，９は、その外側面の上下中間部近傍に設けられたリブ１５，１５がブラケット１０，１０により支持されるため、リブ１５，１５を中心とした側板部９，９の上下端部にかかる曲げモーメントを小さくすることができ、側板部９，９の形状を保ちやすい。
【００２６】
また、載置面１５ｅ，１５ｅがブラケット１０，１０の上縁に載置された状態では、それぞれの屈曲部１５ｃ，１５ｃ，…がブラケット１０，１０の外側に配置されるため、収納庫３が左右に移動しても一対のブラケット１０，１０上から落下することを防止できる。
【００２７】
更に、リブ１５，１５の係止突起部１５ｄ，１５ｄは、ブラケット１０，１０における切欠部１０ｂ，１０ｂ内（図３では最も後端の切欠部１０ｂ，１０ｂ内）にそれぞれ係止されており、これにより収納庫３が前後方向に移動することが防止されている。また、前述のように、各切欠部１０ｂの水平面１０ｃの下方に各係止突起部１５ｄが配置されるため、各係止突起部１５ｄが上方へ離脱することが防止される。尚、係止突起部１５ｄ，１５ｄは、リブ１５，１５から左右方向に折り曲げられ、その折り曲げ線が上下方向に延びていることから、係止突起部１５ｄ，１５ｄと各切欠部１０ｂの水平面１０ｃとの衝突により係止突起部１５ｄ，１５ｄ自体が変形することを防止できる。
【００２８】
また、収納庫３がブラケット１０，１０に支持された状態にあっては、側板部９，９の外側に前後に延びたブラケット１０，１０が重なるようになる。これにより、収納庫３を構成する側板部９，９がブラケット１０，１０と上述のリブ１５，１５とにより極めて強固に補強されるため、側板部９，９を薄くして形成しても側板部９，９の形状を保つことができ、収納庫３自体の重量を軽量化することができる。
【００２９】
図１ないし図３に示されるように、ブラケット１０，１０は、側面視において側板部９，９の外形内に収まるようになっている。これによれば、ブラケット１０，１０が側板部９，９の上下から張り出さないようにできるため、見栄えがよい。更に、作業板４上で商品の袋詰め作業を行う際に、収納庫３の上方空間や下方空間において、買い物カートや使用者の手足がブラケット１０，１０にぶつかることが無くなり、収納庫３周辺の空間の使い勝手がよい。
【００３０】
また、図１及び図２に示されるように、側板部９，９の外側には、カバー１６，１６がそれぞれ着脱可能に取付けられている。詳しくは、特に図２に示されるように、カバー１６，１６の上端部には、取付具１３，１３と側板部９，９との間に差し込まれる略Ｌ字状の鉤片１６ａ，１６ａがそれぞれ設けられており、カバー１６，１６の前端には、側板部９，９の前縁を被覆する折返し片１６ｂ，１６ｂが設けられており、カバー１６，１６の下端には、側板部９，９の下縁を被覆する折り返し片１６ｃ，１６ｃが設けられており、この下端側の折り返し片１６ｃ，１６ｃがビス１７，１７により収納庫３の底板部８にそれぞれ固定されている。このカバー１６，１６によりブラケット１０，１０が外部に露見しないようになっているため、更に見栄えがよくなっている。
【００３１】
また、図５に示されるように、リブ１５，１５の係止突起部１５ｄ，１５ｄが係合されるブラケット１０，１０における切欠部１０ｂ，１０ｂの位置を変更（前端から２番目の切欠部１０ｂ，１０ｂ）することにより、ブラケット１０，１０に対する収納庫３の前後位置を選択的に変更できるため、例えば、前後方向の幅が異なる作業板を使用する場合にも対応することができるようになっている。
【００３２】
また、図６に示されるように、支柱２の側方に、新たな支柱２’、上部横架材６’、及び下部横架材７’を配置するとともに、支柱２’及び該支柱２’に隣接する支柱２に対して作業板用ブラケット１８，１８をそれぞれ係止させ、この作業板用ブラケット１８，１８と前記収納庫３とにより、それらに渡って左右方向に延びる作業板４’を支持するようにしてもよい。
【００３３】
尚、前記実施例では、リブ１５，１５の載置面１５ｅ，１５ｅがブラケット１０，１０の上縁の前後方向に亘って載置されていたが、例えば、側板部９，９に対して外側に張り出す突起を前後方向に離間して複数個ずつそれぞれ設け、各突起をブラケット１０，１０の上縁の前後方向の複数個所に載置するようにしてもよい。更に尚、リブ１５，１５がブラケット１０，１０に係止されることに限られず、ブラケット１０，１０が溶接またはボルト・ナット等の固定具で側板部９，９に直接固定されていてもよい。
【００３４】
また、リブ１５，１５を側板部９，９の内側に設けるとともに、背板部にブラケット１０，１０を挿通可能な挿通孔を設け、収納庫内でブラケット１０，１０の上縁にリブ１５，１５を載置してもよい。これによれば、カバー１６，１６を用いずとも、ブラケット１０，１０が外部に露出しないため、美観に優れ、且つ製造コストを抑えることができる。尚、中実の側板に上下に延びるスリットを設けて軽量化し、そのスリット内にブラケット１０，１０を挿通してもよく、この場合にも上記と同様の効果を期待できる。
【００３５】
また、収納庫３を支柱２，２に取付ける作業手順は、支柱２，２にブラケット１０，１０を係止させた後、そのブラケット１０，１０に側板部９，９を係止するようにしてもよいし、ブラケット１０，１０を側板部９，９に固定または係止した後、そのブラケット１０，１０を支柱２，２に係止させるようにしてもよいが、ブラケット１０，１０に収納庫３の重量を預けながら収納庫３の位置調整を行うことができるという取付けやすさの観点からは、前者の方が好ましい。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、前記実施例では、支柱２，２に上下方向に沿って複数の係止孔２ａ，２ａ，…を設け、ブラケット１０，１０の位置を上下に選択できるようになっていたが、これに限られず、各支柱にそれぞれブラケット係止用の孔を１つずつ設け、各ブラケットの取付位置が固定されていてもよい。この場合、収納庫３の荷重に耐え得るように、ブラケット係止用の孔及びブラケットのフックが縦長に形成されることが好ましい。
【００３８】
また、係止突起部１５ｄ，１５ｄは、リブ１５，１５に設けられていたが、これに限られず、例えば、側板に対してプレス加工により左右方向に突出するように係止突起部を設けてもよい。
【符号の説明】
【００３９】
１                什器
２，２’          支柱
２ａ              係止孔
３                収納庫
４，４’          作業板
９                側板部
１０              ブラケット
１０ａ            フック
１０ｂ            切欠部
１３，１３        取付具
１３ａ，１３ａ    凸片
１５              リブ
１５ｃ            屈曲部
１５ｄ            係止突起部
１５ｅ            載置面（載置部）
１６，１６        カバー
１７，１７        ビス
１８，１８        作業板用ブラケット
【図１】
0006616075.tif 000002
【図２】
0006616075.tif 000003
【図３】
0006616075.tif 000004
【図４】
0006616075.tif 000005
【図５】
0006616075.tif 000006
【図６】
0006616075.tif 000007